(57)【特許請求の範囲】
【請求項１】
スキージの走行を介したテーブル上における粉末の積層、積層された粉末層に対するレーザビームの照射による焼結の各プロセスを経ている三次元造形方法であって、前記照射において、ダイナミックフォーカスレンズを透過したレーザビームに対し、当該透過方向と直交する方向の回転軸を介して振動する第１ミラー及び第１ミラーの振動と独立した状態にて前記第１ミラーにおける回転軸の方向と直交状態にあり、かつ水平方向の回転軸を介して振動する第２ミラーからの反射によって、レーザビームの直交座標を基準とする二次元方向の走査を実現している複数個のガルバノスキャナーを採用し、かつ各第１ミラー及び各第２ミラーの振動範囲を調整自在とすることによって、各ガルバノスキャナーを透過したレーザビームの照射による焼結面の領域を選択自在とし、しかも前記ダイナミックフォーカスレンズにおける焦点距離の調整によって、レーザビームの焦点位置又はその近傍にて焼結面を照射しており、各ガルバノスキャナーにおける第１ミラーがテーブル面と斜交する方向の回転軸を介して振動しており、しかもダイナミックフォーカスレンズを透過したレーザビームが水平方向であって、第１ミラーの回転軸が当該レーザビームの方向と直交している三次元造形方法。
【請求項２】
スキージの走行を介したテーブル上における粉末の積層、積層された粉末層に対するレーザビームの照射による焼結の各プロセスを経ている三次元造形方法であって、前記照射において、ダイナミックフォーカスレンズを透過したレーザビームに対し、当該透過方向と直交する方向の回転軸を介して振動する第１ミラー及び第１ミラーの回転軸とアームを介して接続することによって、当該回転軸の周囲における等距離の位置にて一体となって振動し、前記第１ミラーにおける回転軸の方向と直交状態にあり、かつ水平方向の回転軸を介して振動する第２ミラーからの反射によって、レーザビームの円柱座標を基準とする二次元方向の走査を実現している複数個のガルバノスキャナーを採用し、かつ各第１ミラーの振動範囲及び各第２ミラーの振動範囲を調整自在とすることによって、各ガルバノスキャナーを透過したレーザビームの照射による焼結面の領域を選択自在とし、しかも前記ダイナミックフォーカスレンズにおける焦点距離の調整によって、レーザビームの焦点位置又はその近傍にて焼結面を照射しており、各ガルバノスキャナーにおける第１ミラーがテーブル面と斜交する方向の回転軸を介して振動しており、しかもダイナミックフォーカスレンズを透過したレーザビームが水平方向であって、第１ミラーの回転軸が当該レーザビームの方向と直交している三次元造形方法。
【請求項３】
粉末を走行を介してテーブル上に積層するスキージ、当該粉末層に対しレーザビームを照射する焼結装置を備えた三次元造形装置であって、前記照射において、ダイナミックフォーカスレンズを透過したレーザビームに対し、当該透過方向と直交する方向の回転軸を介して振動する第１ミラー及び第１ミラーの振動と独立した状態にて前記第１ミラーにおける回転軸の方向と直交状態にあり、かつ水平方向の回転軸を介して振動する第２ミラーからの反射によって、レーザビームの直交座標を基準とする二次元方向の走査を実現している複数個のガルバノスキャナーを採用し、かつ各第１ミラーに対する振動駆動装置及び各第２ミラーに対する振動駆動装置の振動範囲を調整自在とする制御装置をそれぞれ備えることによって、レーザビームの照射による焼結面の領域を選択自在とし、しかも前記ダイナミックフォーカスレンズにおける焦点距離の調整によって、レーザビームの焦点位置又はその近傍にて焼結面を照射しており、各ガルバノスキャナーにおける第１ミラーがテーブル面と斜交する方向の回転軸を介して振動しており、しかもダイナミックフォーカスレンズを透過したレーザビームが水平方向であって、第１ミラーの回転軸が当該レーザビームの方向と直交している三次元造形装置。
【請求項４】
粉末を走行を介してテーブル上に積層するスキージ、当該粉末層に対しレーザビームを照射する焼結装置を備えた三次元造形装置であって、前記照射において、ダイナミックフォーカスレンズを透過したレーザビームに対し、当該透過方向と直交する方向の回転軸を介して振動する第１ミラー及び第１ミラーの回転軸とアームを介して接続することによって、当該回転軸の周囲における等距離の位置にて一体となって振動し、前記第１ミラーにおける回転軸の方向と直交状態にあり、かつ水平方向の回転軸を介して振動する第２ミラーからの反射によって、レーザビームの円柱座標を基準とする二次元方向の走査を実現している複数個のガルバノスキャナーを採用し、かつ各第１ミラーに対する振動駆動装置の振動範囲を調整自在とする制御装置及び各第２ミラーに対する振動駆動装置の振動範囲を調整自在とする制御装置を備えることによって、レーザビームの照射による焼結面の領域を選択自在とし、しかも前記ダイナミックフォーカスレンズにおける焦点距離の調整によって、レーザビームの焦点位置又はその近傍にて焼結面を照射しており、各ガルバノスキャナーにおける第１ミラーがテーブル面と斜交する方向の回転軸を介して振動しており、しかもダイナミックフォーカスレンズを透過したレーザビームが水平方向であって、第１ミラーの回転軸が当該レーザビームの方向と直交している三次元造形装置。
【請求項５】
スキージの走行を介したテーブル上における粉末の積層、積層された粉末層に対するレーザビームの照射による焼結の各プロセスを経ている三次元造形方法であって、前記照射において、ダイナミックフォーカスレンズを透過したレーザビームに対し、当該透過方向と直交する方向の回転軸を介して振動する第１ミラー及び第１ミラーの振動と独立した状態にて前記第１ミラーにおける回転軸の方向と直交状態にあり、かつ水平方向の回転軸を介して振動する第２ミラーからの反射によって、レーザビームの直交座標を基準とする二次元方向の走査を実現している複数個のガルバノスキャナーを採用し、かつ各第１ミラー及び各第２ミラーの振動範囲を調整自在とすることによって、各ガルバノスキャナーを透過したレーザビームの照射による焼結面の領域を選択自在とし、しかも前記ダイナミックフォーカスレンズにおける焦点距離の調整によって、レーザビームの焦点位置又はその近傍にて焼結面を照射しており、テーブル面の中心位置を基準として、各第１ミラーを各第２ミラーよりも外側に配置している三次元造形方法。
【請求項６】
スキージの走行を介したテーブル上における粉末の積層、積層された粉末層に対するレーザビームの照射による焼結の各プロセスを経ている三次元造形方法であって、前記照射において、ダイナミックフォーカスレンズを透過したレーザビームに対し、当該透過方向と直交する方向の回転軸を介して振動する第１ミラー及び第１ミラーの回転軸とアームを介して接続することによって、当該回転軸の周囲における等距離の位置にて一体となって振動し、前記第１ミラーにおける回転軸の方向と直交状態にあり、かつ水平方向の回転軸を介して振動する第２ミラーからの反射によって、レーザビームの円柱座標を基準とする二次元方向の走査を実現している複数個のガルバノスキャナーを採用し、かつ各第１ミラーの振動範囲及び各第２ミラーの振動範囲を調整自在とすることによって、各ガルバノスキャナーを透過したレーザビームの照射による焼結面の領域を選択自在とし、しかも前記ダイナミックフォーカスレンズにおける焦点距離の調整によって、レーザビームの焦点位置又はその近傍にて焼結面を照射しており、テーブル面の中心位置を基準として、各第１ミラーを各第２ミラーよりも外側に配置している三次元造形方法。
【請求項７】
粉末を走行を介してテーブル上に積層するスキージ、当該粉末層に対しレーザビームを照射する焼結装置を備えた三次元造形装置であって、前記照射において、ダイナミックフォーカスレンズを透過したレーザビームに対し、当該透過方向と直交する方向の回転軸を介して振動する第１ミラー及び第１ミラーの振動と独立した状態にて前記第１ミラーにおける回転軸の方向と直交状態にあり、かつ水平方向の回転軸を介して振動する第２ミラーからの反射によって、レーザビームの直交座標を基準とする二次元方向の走査を実現している複数個のガルバノスキャナーを採用し、かつ各第１ミラーに対する振動駆動装置及び各第２ミラーに対する振動駆動装置の振動範囲を調整自在とする制御装置をそれぞれ備えることによって、レーザビームの照射による焼結面の領域を選択自在とし、しかも前記ダイナミックフォーカスレンズにおける焦点距離の調整によって、レーザビームの焦点位置又はその近傍にて焼結面を照射しており、テーブル面の中心位置を基準として、各第１ミラーを各第２ミラーよりも外側に配置している三次元造形装置。
【請求項８】
粉末を走行を介してテーブル上に積層するスキージ、当該粉末層に対しレーザビームを照射する焼結装置を備えた三次元造形装置であって、前記照射において、ダイナミックフォーカスレンズを透過したレーザビームに対し、当該透過方向と直交する方向の回転軸を介して振動する第１ミラー及び第１ミラーの回転軸とアームを介して接続することによって、当該回転軸の周囲における等距離の位置にて一体となって振動し、前記第１ミラーにおける回転軸の方向と直交状態にあり、かつ水平方向の回転軸を介して振動する第２ミラーからの反射によって、レーザビームの円柱座標を基準とする二次元方向の走査を実現している複数個のガルバノスキャナーを採用し、かつ各第１ミラーに対する振動駆動装置の振動範囲を調整自在とする制御装置及び各第２ミラーに対する振動駆動装置の振動範囲を調整自在とする制御装置を備えることによって、レーザビームの照射による焼結面の領域を選択自在とし、しかも前記ダイナミックフォーカスレンズにおける焦点距離の調整によって、レーザビームの焦点位置又はその近傍にて焼結面を照射しており、テーブル面の中心位置を基準として、各第１ミラーを各第２ミラーよりも外側に配置している三次元造形装置。
【請求項９】
スキージの走行を介したテーブル上における粉末の積層、積層された粉末層に対するレーザビームの照射による焼結の各プロセスを経ている三次元造形方法であって、前記照射において、ダイナミックフォーカスレンズを透過したレーザビームに対し、当該透過方向と直交する方向の回転軸を介して振動する第１ミラー及び第１ミラーの振動と独立した状態にて前記第１ミラーにおける回転軸の方向と直交状態にあり、かつ水平方向の回転軸を介して振動する第２ミラーからの反射によって、レーザビームの直交座標を基準とする二次元方向の走査を実現している複数個のガルバノスキャナーを採用し、かつ各第１ミラー及び各第２ミラーの振動範囲を調整自在とすることによって、各ガルバノスキャナーを透過したレーザビームの照射による焼結面として調整自在に選択された領域が一致しており、しかも前記ダイナミックフォーカスレンズにおける焦点距離の調整によって、レーザビームの焦点位置又はその近傍にて焼結面を照射している三次元造形方法。
【請求項１０】
スキージの走行を介したテーブル上における粉末の積層、積層された粉末層に対するレーザビームの照射による焼結の各プロセスを経ている三次元造形方法であって、前記照射において、ダイナミックフォーカスレンズを透過したレーザビームに対し、当該透過方向と直交する方向の回転軸を介して振動する第１ミラー及び第１ミラーの回転軸とアームを介して接続することによって、当該回転軸の周囲における等距離の位置にて一体となって振動し、前記第１ミラーにおける回転軸の方向と直交状態にあり、かつ水平方向の回転軸を介して振動する第２ミラーからの反射によって、レーザビームの円柱座標を基準とする二次元方向の走査を実現している複数個のガルバノスキャナーを採用し、かつ各第１ミラーの振動範囲及び各第２ミラーの振動範囲を調整自在とすることによって、各ガルバノスキャナーを透過したレーザビームの照射による焼結面として調整自在に選択された領域が一致しており、しかも前記ダイナミックフォーカスレンズにおける焦点距離の調整によって、レーザビームの焦点位置又はその近傍にて焼結面を照射している三次元造形方法。
【請求項１１】
粉末を走行を介してテーブル上に積層するスキージ、当該粉末層に対しレーザビームを照射する焼結装置を備えた三次元造形装置であって、前記照射において、ダイナミックフォーカスレンズを透過したレーザビームに対し、当該透過方向と直交する方向の回転軸を介して振動する第１ミラー及び第１ミラーの振動と独立した状態にて前記第１ミラーにおける回転軸の方向と直交状態にあり、かつ水平方向の回転軸を介して振動する第２ミラーからの反射によって、レーザビームの直交座標を基準とする二次元方向の走査を実現している複数個のガルバノスキャナーを採用し、かつ各第１ミラーに対する振動駆動装置及び各第２ミラーに対する振動駆動装置の振動範囲を調整自在とする制御装置をそれぞれ備えることによって、レーザビームの照射による焼結面として調整自在に選択された領域が一致しており、しかも前記ダイナミックフォーカスレンズにおける焦点距離の調整によって、レーザビームの焦点位置又はその近傍にて焼結面を照射している三次元造形装置。
【請求項１２】
粉末を走行を介してテーブル上に積層するスキージ、当該粉末層に対しレーザビームを照射する焼結装置を備えた三次元造形装置であって、前記照射において、ダイナミックフォーカスレンズを透過したレーザビームに対し、当該透過方向と直交する方向の回転軸を介して振動する第１ミラー及び第１ミラーの回転軸とアームを介して接続することによって、当該回転軸の周囲における等距離の位置にて一体となって振動し、前記第１ミラーにおける回転軸の方向と直交状態にあり、かつ水平方向の回転軸を介して振動する第２ミラーからの反射によって、レーザビームの円柱座標を基準とする二次元方向の走査を実現している複数個のガルバノスキャナーを採用し、かつ各第１ミラーに対する振動駆動装置の振動範囲を調整自在とする制御装置及び各第２ミラーに対する振動駆動装置の振動範囲を調整自在とする制御装置を備えることによって、レーザビームの照射による焼結面として調整自在に選択された領域が一致しており、しかも前記ダイナミックフォーカスレンズにおける焦点距離の調整によって、レーザビームの焦点位置又はその近傍にて焼結面を照射している三次元造形装置。
【請求項１３】
各ガルバノスキャナーにおける第１ミラーがテーブル面と直交する鉛直方向の回転軸を介して振動することを特徴とする請求項５、６、９、１０の何れか一項に記載の三次元造形方法。
【請求項１４】
各ガルバノスキャナーにおける第１ミラーがテーブル面と直交する鉛直方向の回転軸を介して振動することを特徴とする請求項７、８、１１、１２の何れか一項に記載の三次元造形装置。
【請求項１５】
各ガルバノスキャナーの第２ミラーにおける振動に際し、当該振動による振幅の中心位置を形成する段階に反射される反射光がテーブル面に対し斜方向を形成していることを特徴とする請求項１、２、５、６、９、１０の何れか一項に記載の三次元造形方法。
【請求項１６】
各ガルバノスキャナーの第２ミラーにおける振動に際し、当該振動による振幅の中心位置を形成する段階に反射される反射光がテーブル面に対し斜方向を形成していることを特徴とする請求項３、４、７、８、１１、１２の何れか一項に記載の三次元造形装置。
【発明の詳細な説明】
【技術分野】
【０００１】
本発明は、ダイナミックフォーカスレンズを透過して順次集束するレーザビームを、二次元方向に走査するガルバノスキャナーを複数個採用している三次元造形方法及び三次元造形装置を対象としている。
【背景技術】
【０００２】
テーブル上に積層した粉末層に対するレーザビームの照射によって焼結面を形成する三次元造形においては、焦点距離を調整し得るダイナミックフォーカスレンズを透過したレーザビームをガルバノスキャナーによってレーザビームの前記焼結面に対する走査（スキャニング）が行われている。
【０００３】
前記走査を実現するガルバノスキャナーを１個ではなく、複数個採用し、かつ当該複数個のガルバノスキャナーを透過したレーザビームをテーブル面に対し斜方向に照射することによって、直交方向に照射する場合に比し、三次元造形に必要なスペースをコンパクトに設定した上で、複数個のレーザビームによって効率的な走査を実現する三次元造形方法は、特許文献１記載の発明（以下「先願発明１」と称する。）として開示されており、同様に、複数個のガルバノスキャナー３、３ａを採用し、かつ当該複数個のガルバノスキャナー３、３ａを透過したレーザビーム７、７ａをテーブル面に対し斜方向に照射することによって、前記効果を発揮している三次元造形装置の構成もまた、特許文献２記載の発明（以下「先願発明２」と称する。）として開示されている。
【０００４】
然るに、先願発明１及び同２においては、テーブル１３の全領域面の上側に位置している全平坦面においてレーザビーム７、７ａの走査（スキャニング）を行っている（特許文献１の図１、ＡＢＳＴＲＡＣＴ、第３欄２２行、第４欄４０行、請求項１における全平坦面が走査の対象となるという開示事項、及び特許文献２の図１、ＡＢＳＴＲＡＣＴ、第３欄９行、第４欄２６行における全平坦面が共通の走査の対象となるという開示事項、及び請求項１におけるレーザビームが平坦面を横切る状態にて移動する旨の開示事項）。
【０００５】
前記平坦面は、焦点調整ユニット９、９ａに対する制御として形成された焦点面５に該当するが（特許文献１の図４、及び特許文献２の図４）、焦点面５の全領域において、レーザビーム７、７ａの照射による焼結が行われている訳ではなく、焦点調整ユニット９、９ａの制御によって、焦点面５のうち焼結が必要な領域のみにレーザビーム７、７ａの焦点における照射が行われ、焼結が必要でない領域については、レーザビーム７、７ａの焦点が焦点面５に至らないような制御を不可欠とする。
【０００６】
何故ならば、このような制御が行われなければ、全平坦面、即ち焦点平面５の全領域が常に焼結の対象となり、各焦点面５に即して、焼結面の形成領域を必要に応じて選択することが不可能となるからである。
【０００７】
しかしながら、焼結面を形成しない領域にレーザビームの走査を伴う照射を行うことは、無駄な走査及び照射を行う点において、非効率的な三次元造形が行われることを意味している。
【０００８】
先願発明１及び同２の各ガルバノスキャナー３、３ａにおいては、当然焦点調整ユニット９、９ａを透過したレーザビーム７、７ａを反射する第１ミラー及び第１ミラーから反射されたレーザビーム７、７ａを更に反射する第２ミラーを備えている。
然るに、先願発明１及び同２においては、第１ミラー及び第２ミラーに関する説明が存在せず、その結果、第１ミラー及び第２ミラーがテーブル１３の上面における中心位置を基準としてどのように配置されるかについては全く不特定であって何れも選択可能であることに帰する。
【０００９】
したがって、テーブル１３の表面の中心位置を基準として、各第２ミラーが各第１ミラーよりも外側に配置されている設計を選択することは、当然可能である。
【００１０】
因みに、先願発明１及び同２を示す図３は、前記中心位置を基準として、各第２ミラーが各第１ミラーよりも内側に配置されていることを示唆しているが、前記図３は、あくまで実施形態を図示しているに過ぎない以上（Ｆｉｇ．３に関する説明部分）、前記図３の開示は決して上記選択が可能であることを否定する根拠とはならない。
【００１１】
しかしながら、このような設計の場合には、その反対の配置による設計、即ち第２ミラーを前記中心位置を基準として第１ミラーの内側に配置している設計に比し、第２ミラー同士の間隔が広い状態と化し、必然的に、レーザビームが前記中心位置を超えて焼結面を形成する際には、前記中心位置からの距離が遠くなるにしたがって、照度が小さくなる一方、テーブル面に対し、鉛直方向の照射の場合には、略円形の焼結面が形成されることに代えて、略楕円形状の焼結面が形成されることによって焼結面の形状が不正確と化すことを原因として、焼結面の境界における輪郭が不鮮明と化すという欠点を免れることができない。
【００１２】
しかも先願発明１及び同２の場合には、第２ミラーが振動する回転軸の方向が不特定であり、かつこのような不特定による技術上の欠点については後述する通りである。
【先行技術文献】
【特許文献】
【００１３】
【特許文献１】ＵＳ１０，０２９，３３３Ｂ２公報
【特許文献２】ＵＳ９，３１４，９７２Ｂ２公報
【発明の概要】
【発明が解決しようとする課題】
【００１４】
本発明は、ダイナミックフォーカスレンズを透過するレーザビームに対する複数個のガルバノスキャナーを備えた上で、レーザビームの効率的かつ均一な二次元走査及び照射を可能とする三次元造形の構成を提供することを課題とする。
【課題を解決するための手段】
【００１５】
前記課題を達成するため、本発明の基本構成は、
（１）スキージの走行を介したテーブル上における粉末の積層、積層された粉末層に対するレーザビームの照射による焼結の各プロセスを経ている三次元造形方法であって、前記照射において、ダイナミックフォーカスレンズを透過したレーザビームに対し、当該透過方向と直交する方向の回転軸を介して振動する第１ミラー及び第１ミラーの振動と独立した状態にて前記第１ミラーにおける回転軸の方向と直交状態にあり、かつ水平方向の回転軸を介して振動する第２ミラーからの反射によって、レーザビームの直交座標を基準とする二次元方向の走査を実現している複数個のガルバノスキャナーを採用し、かつ各第１ミラー及び各第２ミラーの振動範囲を調整自在とすることによって、各ガルバノスキャナーを透過したレーザビームの照射による焼結面の領域を選択自在とし、しかも前記ダイナミックフォーカスレンズにおける焦点距離の調整によって、レーザビームの焦点位置又はその近傍にて焼結面を照射しており、各ガルバノスキャナーにおける第１ミラーがテーブル面と斜交する方向の回転軸を介して振動しており、しかもダイナミックフォーカスレンズを透過したレーザビームが水平方向であって、第１ミラーの回転軸が当該レーザビームの方向と直交している三次元造形方法、
（２）スキージの走行を介したテーブル上における粉末の積層、積層された粉末層に対するレーザビームの照射による焼結の各プロセスを経ている三次元造形方法であって、前記照射において、ダイナミックフォーカスレンズを透過したレーザビームに対し、当該透過方向と直交する方向の回転軸を介して振動する第１ミラー及び第１ミラーの回転軸とアームを介して接続することによって、当該回転軸の周囲における等距離の位置にて一体となって振動し、前記第１ミラーにおける回転軸の方向と直交状態にあり、かつ水平方向の回転軸を介して振動する第２ミラーからの反射によって、レーザビームの円柱座標を基準とする二次元方向の走査を実現している複数個のガルバノスキャナーを採用し、かつ各第１ミラーの振動範囲及び各第２ミラーの振動範囲を調整自在とすることによって、各ガルバノスキャナーを透過したレーザビームの照射による焼結面の領域を選択自在とし、しかも前記ダイナミックフォーカスレンズにおける焦点距離の調整によって、レーザビームの焦点位置又はその近傍にて焼結面を照射しており、各ガルバノスキャナーにおける第１ミラーがテーブル面と斜交する方向の回転軸を介して振動しており、しかもダイナミックフォーカスレンズを透過したレーザビームが水平方向であって、第１ミラーの回転軸が当該レーザビームの方向と直交している三次元造形方法、
（３）粉末を走行を介してテーブル上に積層するスキージ、当該粉末層に対しレーザビームを照射する焼結装置を備えた三次元造形装置であって、前記照射において、ダイナミックフォーカスレンズを透過したレーザビームに対し、当該透過方向と直交する方向の回転軸を介して振動する第１ミラー及び第１ミラーの振動と独立した状態にて前記第１ミラーにおける回転軸の方向と直交状態にあり、かつ水平方向の回転軸を介して振動する第２ミラーからの反射によって、レーザビームの直交座標を基準とする二次元方向の走査を実現している複数個のガルバノスキャナーを採用し、かつ各第１ミラーに対する振動駆動装置及び各第２ミラーに対する振動駆動装置の振動範囲を調整自在とする制御装置をそれぞれ備えることによって、レーザビームの照射による焼結面の領域を選択自在とし、しかも前記ダイナミックフォーカスレンズにおける焦点距離の調整によって、レーザビームの焦点位置又はその近傍にて焼結面を照射しており、各ガルバノスキャナーにおける第１ミラーがテーブル面と斜交する方向の回転軸を介して振動しており、しかもダイナミックフォーカスレンズを透過したレーザビームが水平方向であって、第１ミラーの回転軸が当該レーザビームの方向と直交している三次元造形装置、
（４）粉末を走行を介してテーブル上に積層するスキージ、当該粉末層に対しレーザビームを照射する焼結装置を備えた三次元造形装置であって、前記照射において、ダイナミックフォーカスレンズを透過したレーザビームに対し、当該透過方向と直交する方向の回転軸を介して振動する第１ミラー及び第１ミラーの回転軸とアームを介して接続することによって、当該回転軸の周囲における等距離の位置にて一体となって振動し、前記第１ミラーにおける回転軸の方向と直交状態にあり、かつ水平方向の回転軸を介して振動する第２ミラーからの反射によって、レーザビームの円柱座標を基準とする二次元方向の走査を実現している複数個のガルバノスキャナーを採用し、かつ各第１ミラーに対する振動駆動装置の振動範囲を調整自在とする制御装置及び各第２ミラーに対する振動駆動装置の振動範囲を調整自在とする制御装置を備えることによって、レーザビームの照射による焼結面の領域を選択自在とし、しかも前記ダイナミックフォーカスレンズにおける焦点距離の調整によって、レーザビームの焦点位置又はその近傍にて焼結面を照射しており、各ガルバノスキャナーにおける第１ミラーがテーブル面と斜交する方向の回転軸を介して振動しており、しかもダイナミックフォーカスレンズを透過したレーザビームが水平方向であって、第１ミラーの回転軸が当該レーザビームの方向と直交している三次元造形装置、
（５）スキージの走行を介したテーブル上における粉末の積層、積層された粉末層に対するレーザビームの照射による焼結の各プロセスを経ている三次元造形方法であって、前記照射において、ダイナミックフォーカスレンズを透過したレーザビームに対し、当該透過方向と直交する方向の回転軸を介して振動する第１ミラー及び第１ミラーの振動と独立した状態にて前記第１ミラーにおける回転軸の方向と直交状態にあり、かつ水平方向の回転軸を介して振動する第２ミラーからの反射によって、レーザビームの直交座標を基準とする二次元方向の走査を実現している複数個のガルバノスキャナーを採用し、かつ各第１ミラー及び各第２ミラーの振動範囲を調整自在とすることによって、各ガルバノスキャナーを透過したレーザビームの照射による焼結面の領域を選択自在とし、しかも前記ダイナミックフォーカスレンズにおける焦点距離の調整によって、レーザビームの焦点位置又はその近傍にて焼結面を照射しており、テーブル面の中心位置を基準として、各第１ミラーを各第２ミラーよりも外側に配置している三次元造形方法、
（６）スキージの走行を介したテーブル上における粉末の積層、積層された粉末層に対するレーザビームの照射による焼結の各プロセスを経ている三次元造形方法であって、前記照射において、ダイナミックフォーカスレンズを透過したレーザビームに対し、当該透過方向と直交する方向の回転軸を介して振動する第１ミラー及び第１ミラーの回転軸とアームを介して接続することによって、当該回転軸の周囲における等距離の位置にて一体となって振動し、前記第１ミラーにおける回転軸の方向と直交状態にあり、かつ水平方向の回転軸を介して振動する第２ミラーからの反射によって、レーザビームの円柱座標を基準とする二次元方向の走査を実現している複数個のガルバノスキャナーを採用し、かつ各第１ミラーの振動範囲及び各第２ミラーの振動範囲を調整自在とすることによって、各ガルバノスキャナーを透過したレーザビームの照射による焼結面の領域を選択自在とし、しかも前記ダイナミックフォーカスレンズにおける焦点距離の調整によって、レーザビームの焦点位置又はその近傍にて焼結面を照射しており、テーブル面の中心位置を基準として、各第１ミラーを各第２ミラーよりも外側に配置している三次元造形方法、
（７）粉末を走行を介してテーブル上に積層するスキージ、当該粉末層に対しレーザビームを照射する焼結装置を備えた三次元造形装置であって、前記照射において、ダイナミックフォーカスレンズを透過したレーザビームに対し、当該透過方向と直交する方向の回転軸を介して振動する第１ミラー及び第１ミラーの振動と独立した状態にて前記第１ミラーにおける回転軸の方向と直交状態にあり、かつ水平方向の回転軸を介して振動する第２ミラーからの反射によって、レーザビームの直交座標を基準とする二次元方向の走査を実現している複数個のガルバノスキャナーを採用し、かつ各第１ミラーに対する振動駆動装置及び各第２ミラーに対する振動駆動装置の振動範囲を調整自在とする制御装置をそれぞれ備えることによって、レーザビームの照射による焼結面の領域を選択自在とし、しかも前記ダイナミックフォーカスレンズにおける焦点距離の調整によって、レーザビームの焦点位置又はその近傍にて焼結面を照射しており、テーブル面の中心位置を基準として、各第１ミラーを各第２ミラーよりも外側に配置している三次元造形装置、
（８）粉末を走行を介してテーブル上に積層するスキージ、当該粉末層に対しレーザビームを照射する焼結装置を備えた三次元造形装置であって、前記照射において、ダイナミックフォーカスレンズを透過したレーザビームに対し、当該透過方向と直交する方向の回転軸を介して振動する第１ミラー及び第１ミラーの回転軸とアームを介して接続することによって、当該回転軸の周囲における等距離の位置にて一体となって振動し、前記第１ミラーにおける回転軸の方向と直交状態にあり、かつ水平方向の回転軸を介して振動する第２ミラーからの反射によって、レーザビームの円柱座標を基準とする二次元方向の走査を実現している複数個のガルバノスキャナーを採用し、かつ各第１ミラーに対する振動駆動装置の振動範囲を調整自在とする制御装置及び各第２ミラーに対する振動駆動装置の振動範囲を調整自在とする制御装置を備えることによって、レーザビームの照射による焼結面の領域を選択自在とし、しかも前記ダイナミックフォーカスレンズにおける焦点距離の調整によって、レーザビームの焦点位置又はその近傍にて焼結面を照射しており、テーブル面の中心位置を基準として、各第１ミラーを各第２ミラーよりも外側に配置している三次元造形装置、
（９）スキージの走行を介したテーブル上における粉末の積層、積層された粉末層に対するレーザビームの照射による焼結の各プロセスを経ている三次元造形方法であって、前記照射において、ダイナミックフォーカスレンズを透過したレーザビームに対し、当該透過方向と直交する方向の回転軸を介して振動する第１ミラー及び第１ミラーの振動と独立した状態にて前記第１ミラーにおける回転軸の方向と直交状態にあり、かつ水平方向の回転軸を介して振動する第２ミラーからの反射によって、レーザビームの直交座標を基準とする二次元方向の走査を実現している複数個のガルバノスキャナーを採用し、かつ各第１ミラー及び各第２ミラーの振動範囲を調整自在とすることによって、各ガルバノスキャナーを透過したレーザビームの照射による焼結面として調整自在に選択された領域が一致しており、しかも前記ダイナミックフォーカスレンズにおける焦点距離の調整によって、レーザビームの焦点位置又はその近傍にて焼結面を照射している三次元造形方法、
（１０）スキージの走行を介したテーブル上における粉末の積層、積層された粉末層に対するレーザビームの照射による焼結の各プロセスを経ている三次元造形方法であって、前記照射において、ダイナミックフォーカスレンズを透過したレーザビームに対し、当該透過方向と直交する方向の回転軸を介して振動する第１ミラー及び第１ミラーの回転軸とアームを介して接続することによって、当該回転軸の周囲における等距離の位置にて一体となって振動し、前記第１ミラーにおける回転軸の方向と直交状態にあり、かつ水平方向の回転軸を介して振動する第２ミラーからの反射によって、レーザビームの円柱座標を基準とする二次元方向の走査を実現している複数個のガルバノスキャナーを採用し、かつ各第１ミラーの振動範囲及び各第２ミラーの振動範囲を調整自在とすることによって、各ガルバノスキャナーを透過したレーザビームの照射による焼結面として調整自在に選択された領域が一致しており、しかも前記ダイナミックフォーカスレンズにおける焦点距離の調整によって、レーザビームの焦点位置又はその近傍にて焼結面を照射している三次元造形方法、
（１１）粉末を走行を介してテーブル上に積層するスキージ、当該粉末層に対しレーザビームを照射する焼結装置を備えた三次元造形装置であって、前記照射において、ダイナミックフォーカスレンズを透過したレーザビームに対し、当該透過方向と直交する方向の回転軸を介して振動する第１ミラー及び第１ミラーの振動と独立した状態にて前記第１ミラーにおける回転軸の方向と直交状態にあり、かつ水平方向の回転軸を介して振動する第２ミラーからの反射によって、レーザビームの直交座標を基準とする二次元方向の走査を実現している複数個のガルバノスキャナーを採用し、かつ各第１ミラーに対する振動駆動装置及び各第２ミラーに対する振動駆動装置の振動範囲を調整自在とする制御装置をそれぞれ備えることによって、レーザビームの照射による焼結面として調整自在に選択された領域が一致しており、しかも前記ダイナミックフォーカスレンズにおける焦点距離の調整によって、レーザビームの焦点位置又はその近傍にて焼結面を照射している三次元造形装置、
（１２）粉末を走行を介してテーブル上に積層するスキージ、当該粉末層に対しレーザビームを照射する焼結装置を備えた三次元造形装置であって、前記照射において、ダイナミックフォーカスレンズを透過したレーザビームに対し、当該透過方向と直交する方向の回転軸を介して振動する第１ミラー及び第１ミラーの回転軸とアームを介して接続することによって、当該回転軸の周囲における等距離の位置にて一体となって振動し、前記第１ミラーにおける回転軸の方向と直交状態にあり、かつ水平方向の回転軸を介して振動する第２ミラーからの反射によって、レーザビームの円柱座標を基準とする二次元方向の走査を実現している複数個のガルバノスキャナーを採用し、かつ各第１ミラーに対する振動駆動装置の振動範囲を調整自在とする制御装置及び各第２ミラーに対する振動駆動装置の振動範囲を調整自在とする制御装置を備えることによって、レーザビームの照射による焼結面として調整自在に選択された領域が一致しており、しかも前記ダイナミックフォーカスレンズにおける焦点距離の調整によって、レーザビームの焦点位置又はその近傍にて焼結面を照射している三次元造形装置、
（１３）各ガルバノスキャナーにおける第１ミラーがテーブル面と直交する鉛直方向の回転軸を介して振動することを特徴とする前記（５）、（６）、（９）、（１０）の何れか一項に記載の三次元造形方法、
（１４）各ガルバノスキャナーにおける第１ミラーがテーブル面と直交する鉛直方向の回転軸を介して振動することを特徴とする前記（７）、（８）、（１１）、（１２）の何れか一項に記載の三次元造形装置、
からなる。
更には、前記基本構成（１）、（２）、（３）、（４）においては、
（１５）各ガルバノスキャナーにおける第１ミラーがテーブル面と斜交する方向の回転軸を介して振動するという参考例の構成を技術的前提としている。
【発明の効果】
【００１６】
基本構成（１）、（２）、（５）、（６）、（９）、（１０）による三次元造形方法及び基本構成（３）、（４）、（７）、（８）、（１１）、（１２）による三次元造形装置においても、三次元造形のスペースをコンパクトに設定した上で複数個のレーザビームによって効率的な走査を実現するという点において、先願発明１及び同２と同様の効果を発揮することができ、しかも特定のガルバノスキャナーにおける故障又はアクシデントが発生したとしても、他のガルバノスキャナーの作動によって、当該故障又はアクシデントをクリアすることも可能であって、このような効果もまた先願発明１及び同２の場合と同様である。
尚、ガルバノスキャナーの水平方向における大きさ及びテーブル表面の面積を考えた場合、基本構成（１）、（２）、（３）、（４）、（５）、（６）、（７）、（８）、（９）、（１０）、（１１）、（１２）における複数個のガルバノスキャナーの実際の数としては、２個〜６個である場合が多い。
【００１７】
然るに、基本構成（１）、（２）、（３）、（４）、（５）、（６）、（７）、（８）、（９）、（１０）、（１１）、（１２）においては、第１ミラーの振動範囲及び第２ミラーの振動範囲を調整自在とすることによって、複数個のガルバノスキャナーを透過した全てのレーザビームに対し、焼結面への照射を実現しており、先願発明１及び同２のような無駄な走査及び照射を避けることができる。
【００１８】
その結果、三次元造形における走査及びエネルギーの消費において、先願発明１及び同２に比し、効率的な三次元造形を実現することができる。
【００１９】
しかも、第１ミラーが振動する回転軸の方向として、レーザビームが透過する方向と直交する方向を採用した上で、第２ミラーが振動する回転軸として、前記第１ミラーにおける回転軸の方向と直交状態にあり、かつ水平方向とすることによって、テーブル面に沿った水平方向面にて均一なレーザビームの二次元方向の走査（スキャニング）を実現することができる。
【００２０】
のみならず、レーザビームの透過する方向が水平方向である場合には、第２ミラーにおける回転軸の方向を前記透過方向と平行に設定することが可能となり、第１ミラーと第２ミラーとの間隔をコンパクトな状態に設定することができる。
【００２１】
更には、基本構成（１）、（２）、（３）、（４）、（５）、（６）、（７）、（８）においては、複数個のガルバノスキャナーを透過したレーザビームによる焼結面が相互に独立し、かつ異なる領域とし、先願発明１及び同２において実現できないような実施形態をも採用することができる。
【００２２】
基本構成（９）、（１０）、（１１）、（１２）においては、複数個のガルバノスキャナーを透過したレーザビームの照射による焼結面の領域が一致しているが、第１ミラーの振動範囲及び第２ミラーの振動範囲を調整自在とすることによって初めて実現可能であることを考慮するならば、前記各基本構成は、複数個のガルバノスキャナーを採用する基本構成において、前記各調整自在機能を有効に結合している発明と評価することができる。
【００２３】
特に、基本構成（５）、（６）、（７）、（８）においては、必要な焼結面の領域を選択自在とすることができ、更には、後述する実施例においては、第２ミラー同士の間隔をコンパクトな状態とし、焼結面の境界における輪郭を鮮明の状態とすることができる。
【図面の簡単な説明】
【００２４】
【図１】基本構成（１）の三次元造形方法及び基本構成（３）の三次元造形装置の技術的前提である参考例（１５）の構成を示す側面図であり（但し、２個のダイナミックフォーカスレンズ及び２個のガルバノスキャナーを採用した場合を示す。）、（ａ）は、ダイナミックフォーカスレンズを透過したレーザビームがテーブル面に対し斜方向である場合を示しており、（ｂ）は、基本構成（１）、（３）のように、当該レーザビームがテーブル面と同様に水平方向である場合を示す。  尚、ダイナミックフォーカスレンズを透過するレーザビームは、図１（ａ）、（ｂ）の紙面と斜交又は直交する方向を当然包摂しており、このような包摂状態を考慮し、レーザビームの進行方向を示す矢印の先端における・印は反射位置を示す。
【図２】基本構成（２）の三次元造形方法及び基本構成（４）の三次元造形装置の技術的前提である参考例（１５）の構成を示す側面図であり（但し、２個のダイナミックフォーカスレンズ及び２個のガルバノスキャナーを採用した場合を示す。）、（ａ）は、ダイナミックフォーカスレンズを透過したレーザビームがテーブル面に対し斜方向である場合を示しており、（ｂ）は、基本構成（２）、（４）のように、当該レーザビームがテーブル面と同様に水平方向である場合を示す。  尚、ダイナミックフォーカスレンズを透過するレーザビームは、図２（ａ）、（ｂ）の紙面と斜交又は直交する方向を当然包摂しており、このような包摂状態を考慮し、レーザビームの進行方向を示す矢印の先端における・印は反射位置を示す。
【図３】基本構成（５）、（９）の三次元造形方法及び基本構成（７）、（１１）の三次元造形装置であって、基本構成（１３）及び（１４）を採用した場合の構成を示す側面図である（但し、２個のダイナミックフォーカスレンズ及び２個のガルバノスキャナーを採用した場合を示す。）。  尚、ダイナミックフォーカスレンズを透過するレーザビームは、図３の紙面と斜交又は直交する方向を当然包摂しており、このような包摂状態を考慮し、レーザビームの進行方向を示す矢印の先端における・印は反射位置を示す。
【図４】基本構成（６）、（１０）の三次元造形方法及び基本構成（８）、（１２）の三次元造形装置であって、基本構成（１３）及び（１４）を採用した場合の構成を示す側面図である（但し、２個のダイナミックフォーカスレンズ及び２個のガルバノスキャナーを採用した場合を示す。）。  尚、ダイナミックフォーカスレンズを透過するレーザビームは、図４の紙面と斜交又は直交する方向を当然包摂しており、このような包摂状態を考慮し、レーザビームの進行方向を示す矢印の先端における・印は反射位置を示す。
【図５】基本構成（１）、（２）、（３）、（４）、（５）、（６）、（７）、（８）、（９）、（１０）、（１１）、（１２）において、ダイナミックフォーカスレンズを透過したレーザビームが水平方向と斜交している場合における第１ミラー及び第２ミラーが振動する回転軸の方向を説明する模式図であって、（ａ）は、第２ミラーにおける回転軸の方向が水平方向である場合を示しており（第１ミラーにおける回転軸は、前記透過方向と直交しており、鉛直方向を形成している訳ではない。）、（ｂ）は、第２ミラーにおける回転軸の方向が前記透過方向である場合を示しており（テーブル面と斜交している前記透過方向を紙面と直交する方向に設定している以上、前記透過方向と斜交しているテーブル面は、（ａ）に示すような紙面と直交する平坦形状ではなく、（ｂ）に示すように、上下方向において紙面の方向と所定幅を以って斜交する状態によって表現されることに帰する。）、（ｃ）は、第２ミラーにおける回転軸が第１ミラーの回転軸の方向及び前記透過方向の双方に直交している場合を示す（（ｃ）もまた（ｂ）と同様に、テーブル面と斜交している前記透過方向を紙面と直交する方向に設定している以上、前記透過方向と斜交しているテーブル面は、（ｃ）に示すように、上下方向において紙面の方向と所定幅を以って斜交する状態によって表現されることに帰する。）。  尚、図５（ａ）、（ｂ）、（ｃ）における・印は、紙面の裏面から表面に向かう方向を示しており、×印は、紙面の表面から裏面に向かう方向を示す。
【図６】基本構成（９）、（１０）、（１１）、（１２）を示しており、（ａ）は、各ガルバノスキャナーの第２ミラーにおける振動に際し、当該振動による振幅の中心位置を形成する段階に反射された反射光の焼結面における照射位置が一致している実施形態を示しており、（ｂ）は、各ガルバノスキャナーの第２ミラーにおける振動の中心位置に該当していない位置から反射される反射光の照射面における照射位置が一致している実施形態を示す。
【図７】基本構成（１）、（２）、（３）、（４）、（５）、（６）、（７）、（８）において、複数個のガルバノスキャナーを透過したレーザビームによる焼結面が相互に独立し、異なる領域である実施形態を示す側面図であり、（ａ）は、前記領域が隣接している場合を示し、（ｂ）は、前記領域が相互に離れていることを示し、（ｃ）は、前記領域が相互の境界において重複している場合を示す。
【発明を実施するための形態】
【００２５】
基本構成（１）、（２）、（５）、（６）、（９）、（１０）の三次元造形方法は、スキージの走行を介したテーブル４上における粉末の積層、積層された粉末層５に対するレーザビーム７の照射による焼結の各プロセスを経ることを基本的前提としており、基本構成（３）、（４）、（７）、（８）、（１１）、（１２）の三次元造形装置は、粉末を走行を介してテーブル４上に積層するスキージ、当該粉末層５に対しレーザビーム７を照射する焼結装置を備えていることを基本的前提としている。
【００２６】
上記各基本的前提に立脚した上で、基本構成（１）、（５）、（９）の方法及び基本構成（３）、（７）、（１１）の装置は、図１（ａ）又は図１（ｂ）又は図３の何れかに示すように、レーザビーム７の照射において、レーザビーム発振源１によって発振され、かつダイナミックフォーカスレンズ２を透過したレーザビーム７に対し、当該透過方向と直交する方向の回転軸３０を介して振動する第１ミラー３１及び第１ミラー３１の振動と独立した状態にて前記第１ミラー３１における回転軸３０の方向と直交状態にあり、かつ水平方向の回転軸３０を介して振動する第２ミラー３２からの反射によって、レーザビーム７の直交座標を基準とする二次元方向の走査を実現しているガルバノスキャナー３を複数個採用しているが、このような採用に基づく構成のうち、先願発明１及び同２においては、第２ミラー３２が振動する回転軸３０の方向を全く明らかにしていない。
【００２７】
その結果、先願発明１及び同２が発明の構成の特定において極めて不十分であることについては、図５（ａ）、（ｂ）、（ｃ）に即して以下に説明する通りである。
【００２８】
第１ミラー３１における回転軸３０の方向がレーザビーム７の透過方向と直交状態にあることは、当該回転軸３０を介した振動によって、レーザビーム７が当該透過方向を含む平面内における走査を可能とするために、技術上当然要請される要件に該当する。
【００２９】
第１ミラー３１による走査及び第２ミラー３２による走査によって、テーブル４の面に沿った水平方向にて二次元の走査を実現するためには、第２ミラー３２における回転軸３０の方向は第１ミラー３１における回転軸３０の方向と直交していることを必要不可欠とする。
【００３０】
第１ミラー３１及び第２ミラー３２を介して二次元方向の走査を実現する場合において、第１ミラー３１のレーザビーム７の透過方向と直交している回転軸３０に対し、第２ミラー３２における回転軸３０の方向としては、図５（ａ）に示すような水平方向、図５（ｂ）に示すように、レーザビーム７の透過方向、及び図５（ｃ）に示すように、第１ミラー３１における回転軸３０の方向と直交するだけでなく、レーザビーム７の透過方向と直交する方向という３ケースを想定することができる。
【００３１】
図５（ａ）に示す方向の場合には、前記透過方向を含む平面に沿った第１ミラーからの反射光（・点及び×印による紙面の表裏の方向に沿って走査する反射光）を第２ミラー３２の水平方向に沿った回転軸３０を介した振動によって、テーブル４の面に沿った水平方向に沿って均一な走査を実現することができる。
【００３２】
これに対し、図５（ｂ）に示す方向の場合には、レーザビーム７の透過方向がテーブル４の面と斜交しているが故に、第２ミラー３２における回転軸３０は水平方向を形成している訳ではない。
【００３３】
このため、レーザビーム７が第２ミラー３２から反射する位置によってテーブル４の面に沿った水平面との距離が相違し、水平面に沿って、均一な走査を実現することができない。
【００３４】
具体的には、図５（ｂ）に示すように、×印に示す紙面の裏側方向の端部の位置にて第２ミラー３２から反射したレーザビーム７の走査ラインと、・印によって示す紙面の表側方向の端部にて第２ミラー３２と反射したレーザビーム７の走査ラインとは、水平面に対する距離において相違するが故に、各走査ラインの長さもまた相違することにならざるを得ない。
【００３５】
その結果、図５（ｂ）に示す第２ミラー３２における反射においては、テーブル４の面に沿った水平面において、均一かつ正確な二次元方向の走査を実現することができない。
【００３６】
同様に、図５（ｃ）に示す場合にも、第２ミラー３２における回転軸３０の方向は、図５（ａ）に示すような水平方向を形成していないため、第１ミラー３１によって反射されたレーザビーム７が第２ミラー３２によって反射される位置によって、水平面に対する距離が相違し、図５（ｃ）に示すように、紙面の表側及び裏側の各端部の位置にて第２ミラー３２と反射したレーザビーム７における走査ラインの長さが相違し、テーブル４の面に沿った水平面において、均一かつ正確な二次元方向の走査を実現することができない。
【００３７】
然るに、先願発明１及び同２においては、ダイナミックフォーカスレンズ２を透過したレーザビーム７が水平方向に対し斜交している場合を包摂しているにも拘らず、第２ミラー３２における回転軸３０の方向については全く説明していない以上、第２ミラー３２の回転軸３０の方向は不特定であって、図５（ａ）、（ｂ）、（ｃ）の何れを採用したか全く不明である。
【００３８】
このような場合、先願発明１及び同２の図３においては、一見第１ミラー３１から反射されたレーザビーム７が紙面の左右方向に走査されているが、このような左右方向の走査は、第２ミラー３２における回転軸３０の方向が図５（ａ）、（ｂ）、（ｃ）の何れの場合においても実現可能であることを考慮するならば、図５（ａ）、（ｂ）、（ｃ）の何れの構成の場合をも包摂していることに帰する。
【００３９】
したがって、基本構成（１）、（５）、（９）の方法及び基本構成（３）、（７）、（１１）の装置は、第２ミラー３２における回転軸３０の方向を水平方向に特定することによって、水平方向にて均一かつ正確な二次元走査を実現している点において、先願発明１及び同２に比し、明らかに技術内容として優れている。
【００４０】
前記各基本的前提に立脚した上で、基本構成（２）、（６）、（１０）の方法及び基本構成（４）、（８）、（１２）の装置は、図２又は図４の何れかに示すように、レーザビーム７の前記照射において、レーザビーム発振源１によって発振され、かつダイナミックフォーカスレンズ２を透過したレーザビーム７に対し、当該透過方向と直交している回転軸３０を介して振動する第１ミラー３１及び第１ミラー３１の回転軸３０とアーム３４を介して接続することによって、当該回転軸３０の周囲における等距離の位置にて一体となって振動し、前記第１ミラー３１の回転軸３０と直交する方向の回転軸３０を介して振動する第２ミラー３２からの反射によって、レーザビーム７の円柱座標を基準とする二次元方向の走査を実現しているガルバノスキャナー３を複数個採用しており、このような採用は、直交座標を基準とするレーザビーム７の二次元方向の走査に立脚している先願発明１及び同２と相違している。
【００４１】
基本構成（２）、（６）、（１０）の方法及び基本構成（４）、（８）、（１２）の装置における第１ミラー３１及び第２ミラー３２における回転軸３０の方向は、基本構成（１）、（５）、（９）の方法及び基本構成（３）、（７）、（１１）の装置の場合と同様であって、その結果、図５（ａ）に示すように、テーブル４の面に沿った水平方向面にて均一な二次元の走査を実現することができる。
【００４２】
図２（ａ）、（ｂ）及び図４に示すように、第１ミラー３１の振動がダイナミックフォーカスレンズ２を透過する方向と直交する方向の回転軸３０を介して行われている状態は、基本構成（１）、（５）、（９）の方法及び基本構成（３）、（７）、（１１）の装置の場合と同様に、当該回転軸３０による回転を駆動している振動駆動装置３１０によって実現され、第２ミラー３２の前記第１ミラー３１の回転軸３０と直交する方向の回転軸３０を介して行われている状態は、当該回転軸３０による回転を駆動している振動駆動装置３２０によって実現される。
【００４３】
円筒座標を基準とするレーザビーム７の二次元方向の走査のうち、第１ミラー３１の振動によって、角度方向（θ方向）に沿った走査が実現し、第２ミラー３２の振動によって、半径方向（ｒ方向）に沿った走査が実現している。
【００４４】
基本構成（２）、（６）、（１０）の方法及び基本構成（４）、（８）、（１２）の装置における第２ミラー３２は、第１ミラー３１と一体となって振動しており、このような振動は独立状態ではなく、この点において基本構成（１）及び（３）と相違している。
【００４５】
前記一体状態を必要とする根拠について説明するに、直交座標（ｘ，ｙ）と円筒座標（ｒ，θ）との間には、
ｘ＝ｒｃｏｓθ、
ｙ＝ｒｓｉｎθ
が成立し、ｒは独立パラメータであっても、独立パラメータθとの協働、即ち一体化によって独立パラメータｘ、ｙに対応するような独立状態を実現し得ることに由来している。
【００４６】
このような第２ミラー３２の振動は、通常、前記振動駆動装置３２０が、図２（ａ）、（ｂ）及び図４に示すように、前記振動駆動装置３１０に接続され、かつ第１ミラー３１を支えている回転によって振動を実現している振動用支柱３３から延設されたアーム３４によって支持されることによって実現することができる。
【００４７】
前記振動駆動装置３２０をアーム３４によって支持した状態にて、前記振動駆動装置３２０を作動するために必要な前記振動駆動装置３２０に対する電圧の印加又は電流の導通に関する構成は、当業者の設計事項に属する。
但し、例えば図２（ａ）、（ｂ）及び図４の細い点線によって示すように、振動用支柱３３における絶縁部分によって分割された振動用支柱３３の長手方向両側の導通領域にて、電源３５側に２個配置されている回転リング３６及び前記振動駆動装置３２０側に２個配置されている導電性の回転リング３７（合計４個の回転リング３６、３７）及び各回転リング３６、３７を回転自在の状態にて支え、かつ所定の位置に固着されている導電性の支柱３８を介して実現することができる（図２及び図４においては、各支柱３８はそれぞれ独立した状態にて前記振動駆動装置３１０に固定されている場合を示す。）。
【００４８】
基本構成（１）、（５）、（９）の方法及び基本構成（３）、（７）、（１１）の装置は、矩形状の三次元造形に適合しており、基本構成（２）、（６）、（１０）の方法及び基本構成（４）、（８）、（１２）の装置は、円形状又は楕円形状などの湾曲した外周面を有する三次元造形に適合している。
【００４９】
基本構成（１）、（２）、（５）、（６）、（９）、（１０）の各方法及び基本構成（３）、（４）、（７）、（８）、（１１）、（１２）の各装置は何れも、多角形状の三次元造形に適合することができる。
【００５０】
参考例（１５）は、図１（ａ）、（ｂ）及び図２（ａ）、（ｂ）に示すように、各ガルバノスキャナー３における第１ミラー３１がテーブル４の面と斜交する方向の回転軸３０を介して振動することを特徴としている。
【００５１】
即ち、参考例（１５）は、第１ミラー３１における回転軸３０をテーブル４の面と斜交する方向に設定することによって、上下方向にてコンパクトな設計を実現している。
【００５２】
図１（ａ）及び図２（ａ）に示すように、参考例（１５）においては、ダイナミックフォーカスレンズ２を透過したレーザビーム７の方向もまたテーブル４の面に対して斜交状態に設定することによって、上下方向におけるコンパクトな設計を更に助長することができる。
【００５３】
しかしながら、前記レーザビーム７の方向は決して、テーブル４の面に斜交することが必要とされている訳ではない。
【００５４】
即ち、参考例（１５）の場合には、図１（ｂ）及び図２（ｂ）に示すように、ダイナミックフォーカスレンズ２を透過したレーザビーム７が水平方向であって、第１ミラー３１の回転軸３０がレーザビーム７の方向と直交している基本構成（１）、（２）、（３）、（４）の構成を採用することができる。
【００５５】
基本構成（１）、（２）、（３）、（４）の場合には、各第１ミラー３１の回転軸３０がテーブル４の面と斜交することによって上下方向にコンパクトな設計を可能とする一方、レーザビーム発振源１から発振し、かつダイナミックフォーカスレンズ２を透過するレーザビーム７の方向を水平方向とするというシンプルな設計を実現することができる。
【００５６】
しかも、基本構成（１）、（２）、（３）、（４）においては、第１ミラー３１の回転軸３０の方向と直交状態にあり、かつ水平方向である第２ミラー３２の回転軸３０の方向として、レーザビーム７の前記透過方向と平行な回転軸３０の方向を選択し、その結果、第１ミラー３１及び第２ミラー３２との間のスペースをコンパクトな状態とすることも可能となる。
【００５７】
基本構成（１３）、（１４）は、図３及び４に示すように、各ガルバノスキャナー３における第１ミラー３１がテーブル４の面と直交する鉛直方向の回転軸３０を介して振動することを特徴としている。
【００５８】
即ち、従前のガルバノスキャナー３と同様に、第１ミラー３１の振動については水平方向を基準とし、第２ミラー３２の振動については、鉛直方向を基準とすることによって、安定した作動を実現することができる。
【００５９】
しかも、基本構成（１３）、（１４）においては、第１ミラー３１の回転軸３０の方向が鉛直であることから、第２ミラー３２における回転軸３０の方向として、第１ミラー３１の回転軸３０の方向と直交する３６０°にわたる水平方向を選択することができ、しかもダイナミックフォーカスレンズ２を透過したレーザビーム７の方向と平行な水平方向を選択することも当然可能である。
【００６０】
基本構成（１）、（２）、（３）、（４）、（５）、（６）、（７）、（８）、（９）、（１０）、（１１）、（１２）において、第１ミラー３１の振動方向及び第２ミラー３２の振動方向の典型例は、参考例（１５）の構成及び基本構成（１）、（２）、（３）、（４）であるが、例えば、第１ミラー３１の振動が鉛直方向面に沿い、第２ミラー３２の振動方向が水平方向面に沿う構成も存在し得ることも考慮するならば、基本構成（１）、（２）、（３）、（４）、（５）、（６）、（７）、（８）、（９）、（１０）、（１１）、（１２）は、決して参考例（１５）の構成及び基本構成（１）、（２）、（３）、（４）のみに限定される訳ではない。
【００６１】
基本構成（９）、（１０）、（１１）、（１２）においては、第１ミラー３１の振動範囲及び第２ミラー３２の振動範囲を調整自在とすることによって、複数個のガルバノスキャナー３を透過したレーザビーム７の照射による焼結面６として、調整自在に選択された領域が一致しているが、前記各基本構成においては、更に図６（ａ）に示すように、各ガルバノスキャナー３の第２ミラー３２における振動に際し、当該振動による振幅の中心位置を形成する段階に反射される反射光の焼結面６における照射位置が一致している実施形態、及び図６（ｂ）に示すように、各ガルバノスキャナー３の第２ミラー３２における振動の際に当該振動による振幅の中心位置に該当しない位置から反射される反射光の焼結面６における照射位置が一致している実施形態の何れをも採用することができる。
【００６２】
図６（ａ）、（ｂ）に示すように、各ガルバノスキャナー３からのレーザビーム７の照射による焼結面６の領域が一致している場合には、重畳した焼結によって、速やかに焼結面６が形成され、効率的な三次元造形を更に助長することができる。
【００６３】
図６（ａ）に示す実施形態の場合には、第２ミラー３２において、振動の中心位置の両側の振幅を調整することによって、テーブル４の水平方向における中心位置Ｐを基準とする焼結面６の領域を選択自在とすることができる。
【００６４】
これに対し、図６（ｂ）に示す実施形態の場合には、テーブル４の水平方向の中心位置Ｐから離れた任意の位置にて焼結面６の領域を随時選択することができる。
【００６５】
基本構成（１）、（２）、（３）、（４）、（５）、（６）、（７）、（８）においては、第１ミラー３１の振動範囲及び第２ミラー３２の振動範囲を調整自在とすることによって、複数個のガルバノスキャナー３を透過したレーザビーム７による焼結面６が相互に独立し、かつ異なる領域である実施形態を採用することができ、当該実施形態においては更に、図７（ａ）に示すように、当該領域が隣接していることを特徴とする実施形態、図７（ｂ）に示すように、当該領域が相互に離れていることを特徴とする実施形態、図７（ｃ）に示すように、当該領域が境界にて重複し合っていることを特徴とする実施形態を採用することができる。
【００６６】
相互に独立し、かつ異なる領域を形成する焼結面６の形状は千差万別であるが、複数個のガルバノスキャナー３からのレーザビーム７の照射によって、このように色々な形状の焼結面６に適用可能としているのは、前記各基本構成において、焼結面６の領域を選択自在とすることに由来している。
【００６７】
図７（ａ）、（ｂ）、（ｃ）に示す各実施形態の場合には、相互に独立し、かつ異なる領域である焼結面６を複数個のガルバノスキャナー３からの照射によって同時かつ一挙に実現している点において、効率的な三次元造形を実現することができる。
【００６８】
基本構成（５）、（６）、（７）、（８）においては、図１（ａ）、（ｂ）及び図２（ａ）、（ｂ）に示すように、テーブル４の面の中心位置Ｐを基準として、各第２ミラー３２を各第１ミラー３１よりも内側に配置している。
【００６９】
このような配置の場合には、各第２ミラー３２同士の間隔をコンパクトな状態とし、その結果、各第２ミラー３２から反射されたレーザビーム７が前記中心位置Ｐを越えて焼結面６を形成する場合の焼結面６の境界における輪郭につき、上記配置と反対の配置、即ち各第２ミラー３２を各第１ミラー３１よりも前記中心位置Ｐよりも外側に配置した場合に比し、前記中心の位置から焼結面６が遠くなるにしたがって、照度が小さくなるという弊害、及びテーブル４の面に対し、鉛直方向の照射の場合には、略円形の焼結面６が形成されることに代えて、略楕円形状の焼結面６が形成されることによって焼結面６の形状が不正確と化すという弊害の程度を少なくすることによって、より鮮明な状態とすることができる。
【００７０】
基本構成（５）、（６）、（７）、（８）に対する参考例としては、図３、４に示すように、テーブル４の面の中心位置Ｐを基準として、各第１ミラー３１の一方を各第２ミラー３２の一方よりも外側に配置すると共に、各第１ミラー３１の他方を各第２ミラー３２の他方よりも内側に配置している構成をも採用することができる。
【００７１】
このような参考例の場合にも、各第１ミラー３１を各第２ミラー３２の内側に配置した場合の弊害を免れることができる。
【００７２】
但し、図１（ａ）、（ｂ）及び図２（ａ）、（ｂ）に示すように、各第１ミラー３１を各第２ミラー３２の外側に配置する実施形態に比し、上記弊害を免れる程度は半減することにならざるを得ない。
【００７３】
以下、実施例について説明する。
【実施例】
【００７４】
実施例は、図１（ａ）、（ｂ）、図２（ａ）、（ｂ）、図３、図４に示すように、各ガルバノスキャナー３の第２ミラー３２における振動に際し、当該振動による振幅の中心位置を形成する段階に反射される反射光がテーブル４の面に対し斜方向を形成している。
【００７５】
上記特徴によって実施例は、レーザビーム７がテーブル４の面に直交する場合に比し、各ガルバノスキャナー３の鉛直方向（高さ方向）の位置を低い状態とした上で、第１ミラー３１及び第２ミラー３２の各振動範囲を調整自在とすることによって、テーブル４の面上における必要な焼結面６の領域を選択自在とすることができる。
但し、このような実施例の採用は、必ずしもレーザビーム７がテーブル４の面に直交するような実施形態を除外することを意味する訳ではない。
【産業上の利用可能性】
【００７６】
本願発明は、効率的な三次元造形を実現する点において画期的であり、その利用範囲は広範である。
【符号の説明】
【００７７】
１        レーザビーム発振源
２        ダイナミックフォーカスレンズ
３        ガルバノスキャナー
３０      回転軸
３１      第１ミラー
３２      第２ミラー
３１０    第１ミラーに対する振動駆動装置
３２０    第２ミラーに対する振動駆動装置
３３      回転可能な振動用支柱
３４      アーム
３５      電源
３６      電源側の回転リング
３７      第２ミラーに対する振動駆動装置側の回転リング
３８      回転リングを支えている導電可能な支柱
４        テーブル
５        粉末層
６        焼結面
７        レーザビーム
Ｐ        テーブル面の中心位置
Ｑ、Ｑ´  前記Ｐに対し所定の当距離にて反対方向に配置されている線対称の基準位置
【要約】
【課題】複数個のガルバノスキャナーを透過した上で走査される全てのレーザビームが焼結面の形成に寄与することによって、効率的かつ均一な二次元走査による三次元造形を可能とする構成を提供すること。
【解決手段】
ダイナミックフォーカスレンズ２を透過したレーザビーム７の透過方向と直交している回転軸３０を介して振動する第１ミラー３１及び第１ミラー３１における回転軸３０と直交し、かつ水平方向の回転軸３０を介して振動する第２ミラー３２からの反射によって、直交座標又は円柱座標の二次元方向に沿ったレーザビーム７の走査を実現している複数個のガルバノスキャナー３を採用し、前記振動に対する制御に基づき、前記振動範囲を調整自在とした上で、テーブル４の面に対し斜方向から照射するレーザビーム７の焦点又はその近傍位置における焼結面６の領域を選択自在とすることによって前記課題を達成している三次元造形方法及び装置。
【選択図】図１【図１】
0006714269.tif 000002
【図２】
0006714269.tif 000003
【図３】
0006714269.tif 000004
【図４】
0006714269.tif 000005
【図５】
0006714269.tif 000006
【図６】
0006714269.tif 000007
【図７】
0006714269.tif 000008